(57)【要約】【課題】部品種類認識と収差測定基準認識との区別及び両立を可能とした光学素子及び金型を提供する。【解決手段】光学素子（対物レンズＯＢＪ）を成形する金型１に、部品種類識別用のマークＭＫ２と、収差測定方向基準となるマークＭＫ１とを形成する凹部をフランジ部転写面に形成しておく。これらマークＭＫ１，ＭＫ２は成形により光学素子に転写される。収差自動測定をする場合には、収差測定方向基準だけを検出後、一定方向に配置後収差解析される。【選択図】図５
2012059352.tif 000002
【特許請求の範囲】
【請求項１】
光源からの光束を光ディスクに集光することによって情報の記録及び／又は再生を行える光ピックアップ装置に用いられ、光学面とフランジ面とを有するガラス製の光学素子において、
前記フランジ面に、前記光学素子の識別用のマークを形成していることを特徴とする光学素子。
【請求項２】
前記フランジ面に、前記識別用のマークとは異なる収差測定用のマークを形成していることを特徴とする請求項１に記載の光学素子。
【請求項３】
前記収差測定用のマークは、光学素子の光軸直交方向に延在する線状のマークであることを特徴とする請求項２に記載の光学素子。
【請求項４】
前記識別用のマークの長さと、前記収差測定用のマークの長さは異なることを特徴とする請求項２又は３に記載の光学素子。
【請求項５】
前記識別用のマークは、前記収差測定用のマークに交差する方向に延在するように形成されていることを特徴とする請求項２〜４のいずれかに記載の光学素子。
【請求項６】
前記識別用のマークは、前記収差測定用のマークと並行して両側に延在するように形成されていることを特徴とする請求項２〜４のいずれかに記載の光学素子。
【請求項７】
前記識別用のマークは、前記収差測定用のマークと並行して片側に延在するように形成されていることを特徴とする請求項２〜４のいずれかに記載の光学素子。
【請求項８】
前記識別用のマークは、光軸回りに延在するように形成されていることを特徴とする請求項２〜４のいずれかに記載の光学素子。
【請求項９】
前記識別用のマークは、点描からなることを特徴とする請求項１又は２に記載の光学素子。
【請求項１０】
前記収差測定用のマーク及び前記識別用のマークは、光ディスク側の前記フランジ面に形成されていることを特徴とする請求項１〜９のいずれかに記載の光学素子。
【請求項１１】
ガラス素材を用いて、請求項１〜１０のいずれかに記載の光学素子を成形する金型であって、
前記フランジ面を転写形成する転写フランジ面に、前記収差測定用のマークに対応する線状の第１凹部と、前記識別用のマークに対応する第２凹部とを形成したことを特徴とする金型。
【発明の詳細な説明】
【技術分野】
【０００１】
本発明は、光ディスクに対して情報の記録及び／又は再生を行える光ピックアップ装置に用いると好適な光学素子及びそれを成形する金型に関する。
【背景技術】
【０００２】
従来のＣＤ、ＤＶＤを用いた情報の記録及び／又は再生に加えて、近年は、波長４００ｎｍ程度の青紫色半導体レーザを用いて、情報の記録及び／又は再生（以下、「記録及び／又は再生」を「記録／再生」と記載する）を行える高密度光ディスクシステムの研究・開発が急速に進んでいる。一例として、ＮＡ０．６５、光源波長４０５ｎｍの仕様で情報の記録／再生を行う光ディスク、いわゆるＨＤ  ＤＶＤ（以下、ＨＤという）では、直径１２ｃｍの光ディスクに対して、１層あたり１５〜２０ＧＢの情報の記録が可能である。また別な例として、ＮＡ０．８５、光源波長４０５ｎｍの仕様で情報の記録／再生を行う光ディスク、いわゆるＢｌｕ−ｒａｙ  Ｄｉｓｃ（以下、ＢＤという）では、直径１２ｃｍの光ディスクに対して、１層あたり１５〜２７ＧＢの情報の記録が可能である。以下、本明細書では、このような光ディスクを「高密度光ディスク」と呼ぶ。
【０００３】
ここで、光ピックアップ装置に搭載される対物レンズ等の光学素子は、その機種の光ピックアップ装置に固有の仕様であるため、別の機種に誤って組み付けると、光ピックアップ装置本来の性能を発揮できない恐れがある。そこで、光学素子の誤組を防止する工夫が必要となる。かかる工夫としては、作業者が目視で部品の識別を行えるように、例えば光学素子の外径を光ピックアップ装置の機種に応じて変えることが考えられる。しかるに、近年は、例えばノートパソコン等に光ピックアップ装置が搭載される場合が多く、従ってそのコンパクト化が厳しく要求されているという実情がある。かかる要求に応じて光学素子も限界まで外径を小さくした場合、異なる機種の光ピックアップ装置に搭載する光学素子でありながら、その外径を同じにしなければならないということも起こりうる。従って、誤組を回避するために、常に光学素子の外径を異ならせることができるとはいえず、それに代わる何らかの工夫が必要となっている。
【０００４】
これに対し、部品識別マークを光学素子に付与すれば良いという考えもある。例えば特許文献１においては、レンズに非点収差の方向を示すマーキングを行うことが開示されている。また、特許文献１においては、レンズの収差測定後に、個々のレンズにマーキングを行うことが開示されている。この光学素子には、必ずマークが形成されるので、このマークにより部品識別も可能となる。
【先行技術文献】
【特許文献】
【０００５】
【特許文献１】特開２００５−２５４６６０号公報
【発明の概要】
【発明が解決しようとする課題】
【０００６】
ところで、従来から上市されているＣＤやＤＶＤ用の光ピックアップ装置では、安価に大量生産が可能なプラスチック製の対物レンズを用いることが多いが、ＨＤ、ＢＤ用の光ピックアップ装置では、温度変化に対してより高い光学特性を要求される場合もある。かかる要求に対し、一般的にガラス製のレンズは、プラスチック製のレンズに比べて温度変化に対する球面収差劣化が少ないという特徴を有することから、ＨＤ、ＢＤ用の光ピックアップ装置において、ガラス製の対物レンズを採用することも行われている。
【０００７】
ここで、ガラス素材は、プラスチック素材に比べ一般的にＴｇ（ガラス転移点）が遙かに高いので、成形時の高熱に耐えうる素材を用いて金型を形成する必要がある。しかるに、耐熱性の高い素材を用いて形成した金型は、一般的に硬度が高くなるため、成形される光学素子の識別マークを転写するために、アルファベットや数字などの複雑な形状を加工形成することは、金型のコストを著しく増大させることとなる。又、光ピックアップ装置に用いられるガラス製の対物レンズ等においては、成形後において収差測定が行われることがあり、測定基準として対物レンズのフランジ面に線状の基準マークを付与することがある。従って、例え光学素子の識別マークを単純なマークとして付与することができたとしても、収差測定の基準マークとの区別をどのように行うべきかという問題もある。かかる問題は、特に収差測定を自動で行う際に障害となる。
【０００８】
本発明は、かかる従来技術の問題に鑑みてなされたものであり、収差測定基準と光学素子識別基準の両立及び区別を可能とした光学素子及びそれを成形する金型を提供することを目的とする。
【課題を解決するための手段】
【０００９】
請求項１に記載の光学素子は、光源からの光束を光ディスクに集光することによって情報の記録及び／又は再生を行える光ピックアップ装置に用いられ、光学面とフランジ面とを有するガラス製の光学素子において、
前記フランジ面に、前記光学素子の識別用のマークを形成していることを特徴とする。
【００１０】
本発明によれば、前記フランジ面に、前記光学素子の識別用のマークを形成しているので、前記光学素子の識別を可能として誤組等を抑制することができる。「光学素子」とは、対物レンズに限らず、種々の素子をいう。
【００１１】
請求項２に記載の光学素子は、請求項１に記載の発明において、前記フランジ面に、前記識別用のマークとは異なる収差測定用のマークを形成していることを特徴とするので、前記識別用のマークと明確に識別できる前記収差測定用のマークを測定基準として、成形後に収差を測定することができ、また前記収差測定用のマークと明確に識別できる前記識別用のマークを目視することで、前記光学素子の識別を可能として誤組等を抑制することができる。
【００１２】
請求項３に記載の光学素子は、請求項２に記載の発明において、前記収差測定用のマークは、光学素子の光軸直交方向に延在する線状のマークであることを特徴とするので、金型に筋を付けることで容易に形成できる。
【００１３】
請求項４に記載の光学素子は、請求項１又は２に記載の発明において、前記収差測定用のマークの長さと、前記識別用のマークの長さとは異なることを特徴とするので、前記光学素子の収差を機械的に測定する場合でも、前記識別用のマークを測定基準と認識されることが抑制される。尚、収差測定用のマークの太さと、前記識別用のマークの太さとを異ならせても良い。
【００１４】
請求項５に記載の光学素子は、請求項２〜４のいずれかに記載の発明において、前記識別用のマークは、前記収差測定用のマークに交差する方向に延在するように形成されていることを特徴とする。
【００１５】
請求項６に記載の光学素子は、請求項２〜４のいずれかに記載の発明において、前記識別用のマークは、前記収差測定用のマークと並行して両側に延在するように形成されていることを特徴とする。
【００１６】
請求項７に記載の光学素子は、請求項２〜４のいずれかに記載の発明において、前記識別用のマークは、前記収差測定用のマークと並行して片側に延在するように形成されていることを特徴とする。
【００１７】
請求項８に記載の光学素子は、請求項２〜４のいずれかに記載の発明において、前記識別用のマークは、光軸回りに延在するように形成されていることを特徴とする。
【００１８】
請求項９に記載の光学素子は、請求項１又は２に記載の発明において、前記識別用のマークは、点描からなることを特徴とする。
【００１９】
請求項１０に記載の光学素子は、請求項１〜９のいずれかに記載の発明において、前記収差測定用のマーク及び前記識別用のマークは、光ディスク側の前記フランジ面に形成されていることを特徴とする。
【００２０】
請求項１１に記載の金型は、ガラス素材を用いて、請求項１〜１０のいずれかに記載の光学素子を成形する金型であって、前記フランジ面を転写形成する転写フランジ面に、前記収差測定用のマークに対応する線状の第１凹部と、前記識別用のマークに対応する第２凹部とを形成したことを特徴とする。
【発明の効果】
【００２１】
本発明によれば、収差測定基準と光学素子識別基準の両立及び区別を可能とする光学素子及びそれを成形する金型を提供することができる。
【図面の簡単な説明】
【００２２】
【図１】本実施の形態にかかる光学素子を成形できる金型を含む成形装置の断面図である。
【図２】本実施の形態にかかる金型の斜視図である。
【図３】図１，２の成形装置により成形された光学素子の斜視図である。
【図４】対物レンズＯＢＪの第１光学面Ｐ１側を見た図である。
【図５】ＢＤとＤＶＤに対して情報の記録及び／又は再生を行える光ピックアップ装置ＰＵ１の概略構成図である。
【図６】変形例にかかる対物レンズＯＢＪを光ディスク側から見た図である。
【図７】変形例にかかる対物レンズＯＢＪを光ディスク側から見た図である。
【図８】変形例にかかる対物レンズＯＢＪを光ディスク側から見た図である。
【図９】別の変形例にかかる対物レンズＯＢＪの斜視図である。
【発明を実施するための形態】
【００２３】
以下、図面を参照して、本発明の実施の形態を詳細に説明する。図１は、本実施の形態にかかる光学素子を成形できる金型を含む成形装置の断面図である。図２は、本実施の形態にかかる金型の斜視図である。
【００２４】
成形装置１０は、略円筒状の上型１と、上型１に対して対向配置された略円筒状の下型２と、上型１及び下型２の周囲に摺動自在に嵌合する中空円筒状の胴型３と、上型１を保持する上型固定部材４と、下型２を保持する下型固定部材５と、上型１の上端に当接するスペーサ８と、下型２の下端に当接するスペーサ９と、胴型３の周囲に配置された高周波加熱コイル７とから構成されている。
【００２５】
上型１における下型２に対向する下端面の中央は、光学素子の第１の光学面を成形する光学転写面１ａとなっており、その周囲は、光学素子のフランジ面を成形するフランジ転写面１ｂとなっている。又、下型２における上型１に対向する上端面の中央は、光学素子の第２の光学面を成形する光学転写面２ａとなっており、その周囲は、光学素子のフランジ面を成形するフランジ転写面２ｂとなっている。型１，２の材料は、本実施の形態では超硬であるがセラミックでも良い。光学転写面１ａ、２ａは、ダイヤモンド工具で切削し、設計形状に対して、ＰＶ値で０．１μｍ以下の精度で鏡面として仕上げている。また、表面粗さはＲａで０．０１μｍ以下である。フランジ転写面１ｂ、２ｂは、ダイヤモンド工具の旋削により形成された平面である。
【００２６】
図２において、上型１のフランジ転写面１ｂには、その外縁から軸線直交方向に延在するストレートな線状の細溝（第１凹部）１ｃが形成されており、又、光学転写面１ａの軸線を挟んで、細溝１ｃと反対側に、細溝１ｃと直交して延在するストレートな線状の細溝（第２凹部）１ｄを弦状に形成している。この細溝１ｃ、１ｄは、フランジ転写面１ｂを形成した後、ダイヤモンド工具（不図示）の先端を切り込んでストレートに相対変位させるのみで形成できるので、上型１の硬度が高くても形成は容易である。細溝１ｃの長さは、光学素子の仕様（即ち光学転写面形状等）に関わらず一定であり、光学転写面１ａの手前で終端させるのが望ましい。一方、細溝１ｄは、光学素子の仕様（ここでは光学転写面１ａ、２ａの形状）に応じて弦長又は本数を変えている。尚、下型２には、このような細溝は形成しない。
【００２７】
次に、光学素子の成形態様について説明する。まず、図１において、上型１を退避させた状態で、ガラスの球状プリフォームＰＦを下型２上に投入する。続いて、プリフォームＰＦの数ミリ上に上型１を対向配置した状態で、高周波加熱コイル７によって胴型３を外方から高周波加熱すると、その熱が型１，２に伝導してプリフォームＰＦが加熱される。この時の加熱温度は３８０℃である。加熱開始から所定時間経過してプリフォームＰＦが軟化した時点でプレス速度０．１ｍｍ／秒、圧力５００Ｎ、保持時間３０秒でプレスを行う。その後、３００℃まで徐冷し、３００℃〜２００℃まで徐冷の２倍の勾配で冷却した後、型１，２を離型させて、成形された光学素子を取り出すことができる。
【００２８】
図３は、図１，２の成形装置により成形された光学素子（ここでは対物レンズＯＢＪとする）の斜視図である。対物レンズＯＢＪは、上型１の光学転写面１ａにより転写された第１光学面Ｐ１と、フランジ転写面１ｂにより転写された第１フランジ面Ｆ１と、下型２の光学転写面２ａにより転写された第２光学面Ｐ２と、フランジ転写面２ｂにより転写された第２フランジ面Ｆ２とを有している。又、第１フランジ面Ｆ１には、フランジ転写面１ｂの細溝１ｃに対応して、線状に盛り上がった収差測定用のマークＭＫ１が形成され、またフランジ転写面１ｂの細溝１ｄに対応して、線状に盛り上がった識別用のマークＭＫ２が形成されている。収差測定用のマークＭＫ１と識別用のマークＭＫ２は直交している。識別用のマークＭＫ２は、成形品の仕様に応じて弦長又は本数が変わる。
【００２９】
対物レンズＯＢＪは、成形後に収差を測定され、これがレンズデータとして製品に付随して出荷される。対物レンズＯＢＪが特定方向の非点収差を有する場合、ベストデフォーカス位置ＢＤＰの近傍であって対物レンズＯＢＪに近い側（インフォーカス）と遠い側（アウトフォーカス）とにおいて、対物レンズＯＢＪによる集光スポットＳＰが直交する２方向に絞られる。ここでは、対物レンズＯＢＪによる集光スポットＳＰが対物レンズＯＢＪの遠い側（アウトフォーカス）において絞られて長く延びる方向（波面が進む方向）を非点収差方向ＡＳＤとする。この場合、非点収差方向ＡＳＤは、収差測定用のマークＭＫ１を基準（０度）として方向を測定される。
【００３０】
図４は、対物レンズＯＢＪの第１光学面Ｐ１側を見た図である。図面を用いて、非点収差を波面収差として計測した場合を概念的に説明する。ここでは、対物レンズＯＢＪの各位置における波面収差を干渉計によって計測した例を示す。この場合、符号「＋」で表しているように、収差測定用のマークＭＫ１からθ＝４５度方向に波面が進んでおり、つまり符号「＋」で表される方向は、非点収差によって波面が進む非点収差方向ＡＳＤとなっている。尚、干渉計を用いた非点収差の測定は、公知であるため説明を省略する。
【００３１】
機械を用いて収差を自動的に測定する場合、不図示のテーブルに載置した状態で、対物レンズＯＢＪを回転させながら、第１フランジ面Ｆ１に探索光束ＬＢを照射して、反射光を読み取ることで、収差測定用のマークＭＫ１を探索する。収差測定用のマークＭＫ１を探索した後、収差を測定し、探索された収差測定用のマークＭＫ１との相対角度を求める。ここで、収差測定用のマークＭＫ１の長さ（即ち内方端の位置）と、識別用のマークＭＫ２の位置とに応じて、探索光束ＬＢの照射位置を調整すれば、対物レンズＯＢＪを回転させたとき、収差測定用のマークＭＫ１は探索されるが、識別用のマークＭＫ２は探索されないようにできる。即ち、識別用のマークＭＫ２に対して収差測定用のマークＭＫ１を機械的に識別でき、これにより自動測定時の誤動作を回避できる。更に、収差測定を自動測定化することも可能となるので、対物レンズＯＢＪの多量生産に寄与することも可能となる。
【００３２】
図５は、ＢＤとＤＶＤに対して情報の記録及び／又は再生を行える光ピックアップ装置ＰＵ１の概略構成図である。かかる光ピックアップ装置ＰＵ１は、各種の光情報再生装置や光情報記録再生装置等に搭載できる。本実施の形態においては、図１，２に示す対物レンズＯＢＪを用いているが、対物レンズＯＢＪは、ホルダＨＬの開口段部ＳＴに対して第２フランジ面Ｆ２を当接させて取り付けられている。従って、マークＭＫ１，ＭＫ２が形成された第１フランジ面Ｆ１は、光ディスク側に露出した状態で配置される。このとき、収差測定用のマークＭＫ１と対物レンズＯＢＪの収差測定結果とから、対物レンズＯＢＪを所定の方向に位置決めすることで、光ピックアップ装置ＰＵ１全体の非点収差の補正を良好に行うことができる。又、作業者は、識別用のマークＭＫ２を視認することで、正しい対物レンズＯＢＪが組み付けられたことがわかり、これにより誤組を回避することができる。
【００３３】
光ディスクＢＤに対して情報の記録及び／又は再生を行う場合、光源としての第１半導体レーザＬＤ１から射出された光束は、第１ビームシェイパＢＳ１、ダイクロイックプリズムＤＰ、偏光ビームスプリッタＰＢＳを通過し、コリメータＣＬで平行光束とされた後、λ／４波長板ＱＷＰ、絞りＡＰを通過し、対物レンズＯＢＪにより、光ディスクＢＤの保護基板ＰＬ（厚さｔ１）を介してその情報記録面ＲＬに集光され、ここに集光スポットを形成する。
【００３４】
そして情報記録面ＲＬで情報ピットにより変調された光束は、再び対物レンズＯＢＪ、絞りＡＰ、λ／４波長板ＱＷＰ、コリメータＣＬを透過し、偏光ビームスプリッタＰＢＳで反射され、シリンドリカルレンズＣＹ、センサレンズＳＥＮを介して光検出器ＰＤの受光面に入射するので、その出力信号を用いて、光ディスクＢＤに情報記録された情報の読み取り信号が得られる。
【００３５】
また、光検出器ＰＤ上でのスポットの形状変化、位置変化による光量変化を検出して、合焦検出やトラック検出を行う。この検出に基づいて、アクチュエータＡＣ１が、第１半導体レーザＬＤ１からの光束を光ディスクＢＤの情報記録面上に結像するように、ホルダＨＬごと対物レンズＯＢＪをフォーカシング、トラッキング動作させるようになっている。
【００３６】
光ディスクＤＶＤに対して情報の記録及び／又は再生を行う場合、光源としての第２半導体レーザＬＤ２から射出された光束は、第２ビームシェイパＢＳ２を通過し、ダイクロイックプリズムＤＰで反射され、偏光ビームスプリッタＰＢＳを通過し、コリメータＣＬで平行光束とされた後、λ／４波長板ＱＷＰ、絞りＡＰを通過し、対物レンズＯＢＪにより、光ディスクＤＶＤの保護基板ＰＬ（厚さｔ２＞ｔ１）を介してその情報記録面ＲＬに集光され、ここに集光スポットを形成する。
【００３７】
そして情報記録面ＲＬで情報ピットにより変調された光束は、再び対物レンズＯＢＪ、絞りＡＰ、λ／４波長板ＱＷＰ、コリメータＣＬを透過し、偏光ビームスプリッタＰＢＳで反射され、シリンドリカルレンズＣＹ、センサレンズＳＥＮを介して光検出器ＰＤの受光面に入射するので、その出力信号を用いて、光ディスクＤＶＤに情報記録された情報の読み取り信号が得られる。
【００３８】
また、光検出器ＰＤ上でのスポットの形状変化、位置変化による光量変化を検出して、合焦検出やトラック検出を行う。この検出に基づいて、アクチュエータＡＣ１が、第２半導体レーザＬＤ２からの光束を光ディスクＤＶＤの情報記録面上に結像するように、ホルダＨＬごと対物レンズＯＢＪをフォーカシング、トラッキング動作させるようになっている。
【００３９】
図６は、変形例にかかる対物レンズＯＢＪを光ディスク側から見た図である。図６に示す変形例では、第１のフランジ面Ｆ１において、収差測定用のマークＭＫ１の両側に、収差測定用のマークＭＫ１より短い識別用のマークＭＫ２を平行線状に形成している。本例では、一対の識別用のマークＭＫ２の長さや間隔を変えることで、対物レンズＯＢＪの識別に用いることができる。尚、機械的に非点収差を測定する場合において、探索光束ＬＢ（図４）の照射位置によっては、対物レンズＯＢＪを回転させながら収差測定用のマークＭＫ１を探索する際に、識別用のマークＭＫ２も探索してしまうこととなるが、その場合には、最初に探索されたマークは無視して２番目に探索されたマークを基準マークとみなすように測定プログラムを設定すればよい。
【００４０】
図７は、別の変形例にかかる対物レンズＯＢＪを光ディスク側から見た図である。図７に示す変形例では、第１のフランジ面Ｆ１において、収差測定用のマークＭＫ１の片側に、収差測定用のマークＭＫ１より短い識別用のマークＭＫ２を平行線状に形成している。本例では、収差測定用のマークＭＫ１に対する識別用のマークＭＫ２の長さや間隔を変えることで、対物レンズＯＢＪの識別に用いることができる。又、機械的に非点収差を測定する際には、常に一方向に対物レンズＯＢＪを回転させ、最初もしくは２番目に探索されたマークを基準マークとみなすように測定プログラムを設定すればよい。
【００４１】
図８は、別の変形例にかかる対物レンズＯＢＪを光ディスク側から見た図である。図８に示す変形例では、第１のフランジ面Ｆ１において、光軸を挟んで、収差測定用のマークＭＫ１と反対側に、点描で識別用のマークＭＫ２を形成している。このような識別用のマークＭＫ２は、上型１のフランジ転写面１ｂ（図２参照）に放電加工を施すことで形成できる。本例では、識別用のマークＭＫ２の数や間隔を変えることで、対物レンズＯＢＪの識別に用いることができる。
【００４２】
図９は、別の変形例にかかる対物レンズＯＢＪの斜視図である。図９に示す変形例では、第１のフランジ面Ｆ１において、第１光学面Ｐ１の光軸を中心として輪帯状の識別用のマークＭＫ２が形成されている。このような識別用のマークＭＫ２は、上型１のフランジ転写面１ｂ（図２参照）を旋削することで形成できる。本例では、識別用のマークＭＫ２の数（１本もしくは複数本）や間隔を変えることで、対物レンズＯＢＪの識別に用いることができる。尚、図４，図６〜９に示すマークは、これらを組み合わせて用いることで多種の光学素子の識別が可能となる。
【００４３】
以上、本発明を実施の形態を参照して説明してきたが、本発明は上記実施の形態に限定して解釈されるべきではなく、適宜変更や改良が可能であることはもちろんである。例えば対物レンズＯＢＪの型番マークや、非点収差方向マークを識別用マーク、収差測定用マークと更に区別できる形で形成しても良い。この型番マークや非点収差方向マークの例としては、ペイントや着色ＵＶ接着剤等が上げられる。
【符号の説明】
【００４４】
１ 上型
１ａ 光学転写面
１ｂ フランジ転写面
１ｃ 細溝
１ｄ 細溝
２ 下型
２ａ 光学転写面
２ｂ フランジ転写面
３ 胴型
４ 上型固定部材
５ 下型固定部材
７ 高周波加熱コイル
８ スペーサ
９ スペーサ
１０ 成形装置
ＡＣ１ アクチュエータ
ＡＰ 絞り
ＡＳＤ 非点収差方向
ＢＤ、ＤＶＤ 光ディスク
ＢＤＰ ベストデフォーカス位置
ＢＳ１ 第１ビームシェイパ
ＢＳ２ 第２ビームシェイパ
ＣＬ コリメータ
ＣＹ シリンドリカルレンズ
ＤＰ ダイクロイックプリズム
Ｆ１ 第１フランジ面
Ｆ２ 第２フランジ面
ＨＬ ホルダ
ＬＢ 探索光束
ＬＤ１ 第１半導体レーザ
ＬＤ２ 第２半導体レーザ
ＭＫ１ 収差測定用のマーク
ＭＫ２ 識別用のマーク
ＯＢＪ 対物レンズ
Ｐ１ 第１光学面
Ｐ２ 第２光学面
ＰＢＳ 偏光ビームスプリッタ
ＰＤ 光検出器
ＰＦ プリフォーム
ＰＬ 保護基板
ＰＵ１ 光ピックアップ装置
ＱＷＰ λ／４波長板
ＲＬ 情報記録面
ＳＥＮ センサレンズ
ＳＰ 集光スポット
ＳＴ 開口段部
【図１】
2012059352.tif 000003
【図２】
2012059352.tif 000004
【図３】
2012059352.tif 000005
【図４】
2012059352.tif 000006
【図５】
2012059352.tif 000007
【図６】
2012059352.tif 000008
【図７】
2012059352.tif 000009
【図８】
2012059352.tif 000010
【図９】
2012059352.tif 000011
【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
光源からの光束を光ディスクに集光することによって情報の記録及び／又は再生を行える光ピックアップ装置に用いられ、光学面とフランジ面とを有するガラス製の光学素子において、
前記フランジ面に、収差測定用のマークを形成しており、
前記収差測定用のマークは、前記フランジ面と一体的に形成されていることを特徴とする光学素子。
【請求項２】
前記収差測定用のマークは、光学素子の光軸直交方向に延在する線状のマークであることを特徴とする請求項１に記載の光学素子。
【請求項３】
前記収差測定用のマークは、光ディスク側の前記フランジ面に形成されていることを特徴とする請求項１又は２に記載の光学素子。
【請求項４】
前記収差測定用のマークに加えて、ペイントによるマークを有することを特徴とする請求項１〜３のいずれかに記載の光学素子。
【請求項５】
ガラス素材を用いて、請求項１〜４のいずれかに記載の光学素子を成形する金型であって、
前記フランジ面を転写形成する転写フランジ面に、前記収差測定用のマークに対応する線状の凹部を形成したことを特徴とする金型。
【手続補正２】
【補正対象書類名】明細書
【補正対象項目名】０００９
【補正方法】変更
【補正の内容】
【０００９】
請求項１に記載の光学素子は、光源からの光束を光ディスクに集光することによって情報の記録及び／又は再生を行える光ピックアップ装置に用いられ、光学面とフランジ面とを有するガラス製の光学素子において、
前記フランジ面に、収差測定用のマークを形成しており、
前記収差測定用のマークは、前記フランジ面と一体的に形成されていることを特徴とする。
【手続補正３】
【補正対象書類名】明細書
【補正対象項目名】００１０
【補正方法】変更
【補正の内容】
【００１０】
「光学素子」とは、対物レンズに限らず、種々の素子をいう。
【手続補正４】
【補正対象書類名】明細書
【補正対象項目名】００１１
【補正方法】変更
【補正の内容】
【００１１】
本発明によれば、前記フランジ面に、収差測定用のマークを形成していることを特徴とするので、前記収差測定用のマークを測定基準として、成形後に収差を測定することができる。
【手続補正５】
【補正対象書類名】明細書
【補正対象項目名】００１２
【補正方法】変更
【補正の内容】
【００１２】
請求項２に記載の光学素子は、請求項１に記載の発明において、前記収差測定用のマークは、光学素子の光軸直交方向に延在する線状のマークであることを特徴とするので、金型に筋を付けることで容易に形成できる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
請求項３に記載の光学素子は、請求項１又は２に記載の発明において、前記収差測定用のマーク及び前記識別用のマークは、光ディスク側の前記フランジ面に形成されていることを特徴とする。
請求項４に記載の光学素子は、請求項１〜３のいずれかに記載の発明において、前記収差測定用のマークに加えて、ペイントによるマークを有することを特徴とする。
【手続補正１３】
【補正対象書類名】明細書
【補正対象項目名】００２０
【補正方法】変更
【補正の内容】
【００２０】
請求項５に記載の金型は、ガラス素材を用いて、請求項１〜４のいずれかに記載の光学素子を成形する金型であって、前記フランジ面を転写形成する転写フランジ面に、前記収差測定用のマークに対応する線状の凹部を形成したことを特徴とする。